(57)【要約】【課題】同じ装置を複数の視聴者で利用する場合でも各視聴者の嗜好情報が混在しないばかりでなく、長期間の統計的な嗜好情報の取得を必要とせず、かつ視聴者のその時々に応じて変化する嗜好を反映させた嗜好情報に基づき、推薦番組を検索することが可能な映像受信装置を提供する。【解決手段】映像受信装置は、放送波を受信するとともに、放送波に含まれる複数のチャンネルの番組の表示を行う装置であって、視聴者の選択操作に基づく複数のチャンネルの選択情報を取得する選択情報取得手段と、選択情報を基に視聴者が所定期間内の間隔で視聴するチャンネルを切り替えるザッピング操作を検出する検出手段と、ザッピング操作中に選択されたチャンネルの番組のメタ情報から検索情報を取得する検索情報取得手段と、検索情報に関連するコンテンツ情報を取得するコンテンツ情報取得手段とを備える。【選択図】図２
2011211586.tif 000002
【特許請求の範囲】
【請求項１】
放送波を受信するとともに、当該放送波に含まれる複数のチャンネルのコンテンツの表示を行う映像受信装置であって、
当該映像受信装置の視聴者の選択操作に基づく前記複数のチャンネルの選択情報を取得する選択情報取得手段と、
前記選択情報を基に、前記視聴者が所定期間内の間隔で視聴する前記チャンネルを切り替えるザッピング操作を検出する検出手段と、
前記ザッピング操作中に選択された前記チャンネルのコンテンツのメタ情報から検索情報を取得する検索情報取得手段と、
前記検索情報に関連するコンテンツ情報を取得するコンテンツ情報取得手段と、
を備えることを特徴とする映像受信装置。
【請求項２】
前記検出手段において前記ザッピング操作が終了したことを検出した際には、前記検索情報取得手段において前記ザッピング操作中に取得した前記検索情報を破棄することを特徴とする請求項１記載の映像受信装置。
【請求項３】
前記検索情報取得手段は、前記ザッピング操作中に表示した前記チャンネルのコンテンツの表示時間に応じて、取得する前記検索情報を変更することを特徴とする請求項１記載の映像受信装置。
【請求項４】
前記検索情報取得手段は、前記ザッピング操作中に表示した前記チャンネルのコンテンツの重複度に応じて、取得する前記検索情報を変更することを特徴とする請求項１記載の映像受信装置。
【請求項５】
前記ザッピング操作中に選択された前記チャンネルのコンテンツの表示時間が所定時間以下の場合には、前記コンテンツ情報取得手段は、前記メタ情報に関連しない前記コンテンツ情報を取得することを特徴とする請求項１記載の映像受信装置。
【請求項６】
前記ザッピング操作中に選択された前記チャンネルのコンテンツの表示時間が所定時間を上回る場合には、前記コンテンツ情報取得手段は、前記メタ情報に関連するコンテンツ情報を取得することを特徴とする請求項１記載の映像受信装置。
【請求項７】
放送波を受信するとともに、当該放送波に含まれる複数のチャンネルのコンテンツの表示を行う映像受信装置における嗜好情報抽出方法であって、
当該映像受信装置の視聴者の選択操作に基づく前記複数のチャンネルの選択情報を取得する選択情報取得ステップと、
前記選択情報を基に、前記視聴者が所定期間内の間隔で視聴する前記チャンネルを切り替えるザッピング操作を検出する検出ステップと、
前記ザッピング操作中に選択された前記チャンネルのコンテンツのメタ情報から検索情報を取得する検索情報取得ステップと、
前記検索情報に関連するコンテンツ情報を取得するコンテンツ情報取得ステップと、
を備えることを特徴とする映像受信装置における嗜好情報抽出方法。
【請求項８】
前記ザッピング操作が前記検出ステップにおいて終了したことを検出した際には、前記検索情報取得ステップにおいて、前記ザッピング操作中に取得した前記検索情報を破棄することを特徴とする請求項７記載の映像受信装置における嗜好情報抽出方法。
【請求項９】
前記ザッピング操作中に表示した前記チャンネルのコンテンツの表示時間に応じて、前記検索情報取得ステップにおいて取得する前記検索情報を変更することを特徴とする請求項７記載の映像受信装置における嗜好情報抽出方法。
【請求項１０】
前記ザッピング操作中に表示した前記チャンネルのコンテンツの重複度に応じて、前記検索情報取得ステップにおいて取得する前記検索情報を変更することを特徴とする請求項７記載の映像受信装置における嗜好情報抽出方法。
【請求項１１】
前記検索情報取得ステップにおける前記ザッピング操作中に選択された前記チャンネルのコンテンツの表示時間が所定時間以下の場合には、前記コンテンツ情報取得ステップにおいて、前記メタ情報に関連しない前記コンテンツ情報を取得することを特徴とする請求項７記載の映像受信装置における嗜好情報抽出方法。
【請求項１２】
前記検索情報取得ステップにおける前記ザッピング操作中に選択された前記チャンネルのコンテンツの表示時間が所定時間を上回る場合には、前記コンテンツ情報取得ステップにおいて、前記メタ情報に関連するコンテンツ情報を取得することを特徴とする請求項１記載の映像受信装置における嗜好情報抽出方法。
【発明の詳細な説明】
【技術分野】
【０００１】
本発明は、視聴者の映像受信装置に対するザッピング等の操作に関する情報から視聴者の嗜好情報を抽出する技術に関する。
【背景技術】
【０００２】
近年、電波による放送のデジタル化に対応した映像受信端末やインターネット等のネットワークを介して番組視聴を可能とする映像受信端末が登場し、番組が多チャンネル化してきている。
【０００３】
このような状況の中で、数多くあるチャンネルの中から視聴者の嗜好情報にあった番組を推薦する技術が登場している。例えば、特許文献１においては、視聴者の視聴履歴を観測し、視聴者が所定の時間以上にわたって視聴した番組に対して「興味がある」と判定し、「興味がある」と判定した番組の番組情報を当該視聴者が嗜好する番組の嗜好情報として蓄積し、推薦番組を検索する際のキーワードとして用いる方法が開示されている。
【先行技術文献】
【特許文献】
【０００４】
【特許文献１】特開２００２−１５２６１８号公報
【発明の概要】
【発明が解決しようとする課題】
【０００５】
しかしながら、特許文献１に開示されている従来の方法においては、例えば、ザッピングという消去法で番組を検索する操作においては、各番組の視聴時間は短時間となり、精度の高い嗜好情報を抽出できないという課題があった。また、このような従来の方法を活用するには、精度を向上させる為に長期間の統計的な情報の取得が重要となるが、テレビのように多人数で共有して使用する装置においては、過去の視聴履歴に基づき抽出した嗜好情報は、当該装置を共有して使用する複数人の嗜好に関する情報が混在した嗜好情報となるので、たとえ長期間にわたって統計的に情報を取得したとしても精度の悪い嗜好情報となるばかりでなく、視聴者のその時々に応じて変化する嗜好を反映させることが困難であるという課題を有していた。
【０００６】
本発明は、このような課題に鑑みてなされたものであり、課題を解決するポイントとしてザッピング操作という嗜好情報に着眼し、同じ装置を複数の視聴者で利用する場合でも各視聴者の嗜好情報が混在しないばかりでなく、長期間の統計的な嗜好情報の取得を必要とせず、かつ視聴者のその時々に応じて変化する嗜好を反映させた嗜好情報に基づき、推薦番組を検索することが可能な映像受信装置および映像受信装置における嗜好情報抽出方法を提供することを目的とする。
【課題を解決するための手段】
【０００７】
上記目的を達成するために、本願の第１の発明の映像受信装置は、放送波を受信するとともに、当該放送波に含まれる複数のチャンネルのコンテンツの表示を行う映像受信装置であって、当該映像受信装置の視聴者の選択操作に基づく前記複数のチャンネルの選択情報を取得する選択情報取得手段と、前記選択情報を基に、前記視聴者が所定期間内の間隔で視聴する前記チャンネルを切り替えるザッピング操作を検出する検出手段と、前記ザッピング操作中に選択された前記チャンネルのコンテンツのメタ情報から検索情報を取得する検索情報取得手段と、前記検索情報に関連するコンテンツ情報を取得するコンテンツ情報取得手段と、を備えることを特徴とするものである。
【０００８】
また、本願の第２の発明の映像受信装置は、本願の第１の発明の映像受信装置において、前記検出手段において前記ザッピング操作が終了したことを検出した際には、前記検索情報取得手段において前記ザッピング操作中に取得した前記検索情報を破棄することを特徴とするものである。
【０００９】
また、本願の第３の発明の映像受信装置は、本願の第１の発明の映像受信装置において、前記検索情報取得手段は、前記ザッピング操作中に表示した前記チャンネルのコンテンツの表示時間に応じて、取得する前記検索情報を変更することを特徴とするものである。
【００１０】
また、本願の第４の発明の映像受信装置は、本願の第１の発明の映像受信装置において、前記検索情報取得手段は、前記ザッピング操作中に表示した前記チャンネルのコンテンツの重複度に応じて、取得する前記検索情報を変更することを特徴とするものである。
【００１１】
また、本願の第５の発明の映像受信装置は、本願の第１の発明の映像受信装置において、前記ザッピング操作中に選択された前記チャンネルのコンテンツの表示時間が所定時間以下の場合には、前記コンテンツ情報取得手段は、前記メタ情報に関連しない前記コンテンツ情報を取得することを特徴とするものである。
【００１２】
また、本願の第６の発明の映像受信装置は、本願の第１の発明の映像受信装置において、前記ザッピング操作中に選択された前記チャンネルのコンテンツの表示時間が所定時間を上回る場合には、前記コンテンツ情報取得手段は、前記メタ情報に関連するコンテンツ情報を取得することを特徴とするものである。
【００１３】
また、本願の第７の発明の映像受信装置における嗜好情報抽出方法は、放送波を受信するとともに、当該放送波に含まれる複数のチャンネルのコンテンツの表示を行う映像受信装置における嗜好情報抽出方法であって、当該映像受信装置の視聴者の選択操作に基づく前記複数のチャンネルの選択情報を取得する選択情報取得ステップと、前記選択情報を基に、前記視聴者が所定期間内の間隔で視聴する前記チャンネルを切り替えるザッピング操作を検出する検出ステップと、前記ザッピング操作中に選択された前記チャンネルのコンテンツのメタ情報から検索情報を取得する検索情報取得ステップと、前記検索情報に関連するコンテンツ情報を取得するコンテンツ情報取得ステップと、を備えることを特徴とするものである。
【００１４】
また、本願の第８の発明の映像受信装置における嗜好情報抽出方法は、本願の第７の発明の映像受信装置における嗜好情報抽出方法において、前記ザッピング操作が前記検出ステップにおいて終了したことを検出した際には、前記検索情報取得ステップにおいて、前記ザッピング操作中に取得した前記検索情報を破棄することを特徴とするものである。
【００１５】
また、本願の第９の発明の映像受信装置における嗜好情報抽出方法は、本願の第７の発明の映像受信装置における嗜好情報抽出方法において、前記ザッピング操作中に表示した前記チャンネルのコンテンツの表示時間に応じて、前記検索情報取得ステップにおいて取得する前記検索情報を変更することを特徴とするものである。
【００１６】
また、本願の第１０の発明の映像受信装置における嗜好情報抽出方法は、本願の第７の発明の映像受信装置における嗜好情報抽出方法において、前記ザッピング操作中に表示した前記チャンネルのコンテンツの重複度に応じて、前記検索情報取得ステップにおいて取得する前記検索情報を変更することを特徴とするものである。
【００１７】
また、本願の第１１の発明の映像受信装置における嗜好情報抽出方法は、本願の第７の発明の映像受信装置における嗜好情報抽出方法において、前記検索情報取得ステップにおける前記ザッピング操作中に選択された前記チャンネルのコンテンツの表示時間が所定時間以下の場合には、前記コンテンツ情報取得ステップにおいて、前記メタ情報に関連しない前記コンテンツ情報を取得することを特徴とするものである。
【００１８】
また、本願の第１２の発明の映像受信装置における嗜好情報抽出方法は、本願の第７の発明の映像受信装置における嗜好情報抽出方法において、前記検索情報取得ステップにおける前記ザッピング操作中に選択された前記チャンネルのコンテンツの表示時間が所定時間を上回る場合には、前記コンテンツ情報取得ステップにおいて、前記メタ情報に関連するコンテンツ情報を取得することを特徴とするものである。
【発明の効果】
【００１９】
本発明によれば、ザッピングという視聴者の「興味がない」という嗜好情報を活用した推薦番組の絞込みを行うことで、同じ装置を複数の視聴者で利用する場合でも各視聴者の嗜好情報が混在しないばかりでなく、長期間の統計的な嗜好情報の取得を必要とせず、かつ視聴者のその時々に応じて変化する嗜好を反映させた嗜好情報に基づいて、視聴者に対する推薦番組を検索することが可能な映像受信装置および映像受信装置における嗜好情報抽出方法を提供することが可能となる。
【図面の簡単な説明】
【００２０】
【図１】本発明の実施の形態１に係る映像受信装置を用いたネットワーク構成の一例を示すブロック図
【図２】本発明の実施の形態１に係る映像受信装置の構成を示すブロック図
【図３】本発明の実施の形態１に係る映像受信装置における嗜好情報の抽出および推薦番組の表示に関する処理の流れを示すフローチャート
【図４】本発明の実施の形態１に係る映像受信装置においてクイズ番組の視聴を所望している視聴者がザッピング操作をした際の番組遷移の一例を示す図
【発明を実施するための形態】
【００２１】
以下に、本発明を実施するための形態について、図面を参照しながら説明する。
【００２２】
（実施の形態１）
図１は、本発明の実施の形態１に係る映像受信装置を用いたネットワーク構成の一例を示すブロック図である。
【００２３】
図１において、ネットワークは、映像受信装置１０１、リモートコントローラ１０２、電波放送局１０３および映像配信サーバ１０４で構成される。
【００２４】
映像受信装置１０１は、嗜好情報の抽出機能を有し、赤外線通信インターフェース（ｉｎｔｅｒｆａｃｅ：Ｉ／Ｆ）、電波放送受信Ｉ／Ｆおよびパケット通信Ｉ／Ｆを具備する。
【００２５】
赤外線通信Ｉ／Ｆは、リモートコントローラ１０２から視聴者により選択された選局操作情報を受信し、電波放送受信Ｉ／Ｆは、電波放送局１０３から送信された電波放送を受信し、パケット通信Ｉ／Ｆは、インターネットを介して映像配信サーバ１０４と接続され、映像配信サーバ１０４に対して視聴者の嗜好情報を送信するとともに、映像配信サーバ１０４から視聴者の嗜好情報に関連する推薦番組を受信する。
【００２６】
また、映像受信装置１０１は、電波放送番組を表示するとともに、視聴者の電波放送番組に対するザッピング操作を監視し、所定のタイミングでインターネットを介して映像配信サーバ１０４から受信した推薦番組の表示に切り替える。
【００２７】
次に、図２を用いて、本発明の実施の形態１に係る映像受信装置１０１の構成について説明する。なお、図２は、本発明の実施の形態１に係る映像受信装置の構成を示すブロック図である。
【００２８】
図２において、映像受信装置１０１は、操作情報取得部２０１、ザッピング検出部２０２、電波放送受信部２０３、映像抽出部２０４、キーワード抽出部２０５、キーワード蓄積部２０６、パケット通信部２０７および表示部２０８で構成される。
【００２９】
なお、特許請求の範囲に記載の各手段と図２に示される各部との関係について説明すると、選択情報取得手段は操作情報取得部２０１に相当し、検出手段はザッピング検出部２０２に相当し、検索情報取得手段はキーワード抽出部２０５およびキーワード蓄積部２０６で構成され、コンテンツ情報取得手段はキーワード蓄積部２０６およびパケット通信部２０７で構成される。
【００３０】
操作情報取得部２０１は、赤外線通信Ｉ／Ｆを具備し、リモートコントローラ１０２から受信した視聴者の操作情報を取得し、取得した視聴者の操作情報をザッピング検出部２０２、映像抽出部２０４およびキーワード抽出部２０５に出力する。なお、本発明の実施の形態１においては、視聴者の操作情報に含まれる情報は、番組の選局操作の情報（選局操作情報）であることとする。
【００３１】
ザッピング検出部２０２は、操作情報取得部２０１から入力された選局操作情報の入力頻度を観測し、キーワード蓄積部２０６に対して、所定時間Ｔ１あたりに入力される選局操作の回数が閾値Ｘを超えるとザッピング検出通知を出力し、所定時間Ｔ２あたりに全チャンネルの番組の選局が行われると全番組遷移通知を出力し、さらに、選局操作情報が入力されない時間が所定時間Ｔ３を超えるとザッピング終了通知を出力する。なお、本発明の実施の形態１においては、一例として、所定時間Ｔ１は１０秒、閾値Ｘは２回、所定時間Ｔ２は３０秒、所定時間Ｔ３は１０分と設定するが、これらの値に限るものではない。
【００３２】
電波放送受信部２０３は、電波放送受信Ｉ／Ｆを具備し、電波放送局１０３から送出された放送電波を受信および復調し、復調した復調データを映像抽出部２０４およびキーワード抽出部２０５に出力する。
【００３３】
映像抽出部２０４は、電波放送受信部２０３から入力された復調データの中から、操作情報取得部２０１から入力された選局操作情報に基づいて映像データを抽出し、表示部２０８に出力する。
【００３４】
キーワード抽出部２０５は、電波放送受信部２０３から入力された復調データの中から、操作情報取得部２０１から入力された選局操作情報に基づいて、視聴者が選局したチャンネルの番組（以下、「番組」と称す）の番組情報（メタデータ）を抽出し、操作情報取得部２０１から新たに選局操作情報が入力されるまでの時間が所定時間Ｔ４以下であれば、抽出した番組情報（メタデータ）を興味なしキーワードとしてキーワード蓄積部２０６に出力する。
【００３５】
同様に、キーワード抽出部２０５は、パケット通信部２０７からネットワーク経由の推薦番組（推薦コンテンツ）が入力された場合には、操作情報取得部２０１から新たに選局操作情報が入力されるまでの時間が所定時間Ｔ４以下であれば、パケット通信部２０７から入力された推薦番組の番組情報（メタデータ）を興味なしキーワードとしてキーワード蓄積部２０６に出力する。なお、本発明の実施の形態１においては、一例として、所定時間Ｔ４を５秒と設定するが、これに限るものではない。
【００３６】
キーワード蓄積部２０６は、ザッピング検出部２０２からザッピング検出通知が入力されると、キーワード抽出部２０５から入力される興味なしキーワードの蓄積を行い、ザッピング検出部２０２から全番組遷移通知が入力されると、パケット通信部２０７を介して映像配信サーバ１０４と通信を行い、蓄積した興味なしキーワードに関連のないコンテンツ情報（推薦番組）の検索を行う。
【００３７】
キーワード蓄積部２０６は、ザッピング検出部２０２から全番組遷移通知が入力された後は、ザッピング検出部２０２からザッピング終了通知が入力されるまでの間、キーワード抽出部２０５から興味なしキーワードが入力される毎に、入力された興味なしキーワードの蓄積、およびパケット通信部２０７を介して映像配信サーバ１０４と通信を行い、蓄積された興味なしキーワードを用いて推薦番組の検索を行い、ザッピング検出部２０２からザッピング終了通知が入力されると、蓄積していた興味なしキーワードを消去（破棄）する。
【００３８】
パケット通信部２０７は、パケット通信Ｉ／Ｆを具備し、インターネットを介して映像配信サーバ１０４と接続されており、キーワード蓄積部２０６から入力される興味なしキーワードを映像配信サーバ１０４に送信し、送信した興味なしキーワードに対応して映像配信サーバ１０４から送信された推薦番組を受信し、受信した推薦番組を表示部２０８およびキーワード抽出部２０５に出力する。
【００３９】
表示部２０８は、映像抽出部２０４およびパケット通信部２０７から入力された映像データのデコード処理および表示を行う。なお、表示部２０８は、パケット通信部２０７から映像データが入力されていない場合には、映像抽出部２０４から入力された映像データの表示を行うが、パケット通信部２０７から映像データが入力されている場合には、映像抽出部２０４から入力された映像データは表示せずにパケット通信部２０７から入力された映像データを表示する。
【００４０】
次に、視聴者がザッピングによる選局操作を行う際の、映像受信装置１０１における推薦番組を表示するまでの処理の流れについて説明する。
【００４１】
視聴者がリモートコントローラ１０２を用いてザッピングによる選局操作を行うと、その選局操作に伴う選局操作情報がリモートコントローラ１０２から操作情報取得部２０１に送信される。
【００４２】
操作情報取得部２０１は、リモートコントローラ１０２から送信された選局操作情報を受信・取得し、取得した選局操作情報をザッピング検出部２０２、映像抽出部２０４およびキーワード抽出部２０５に出力する。
【００４３】
映像抽出部２０４は、操作情報取得部２０１から入力された操作情報に含まれる選局操作情報に基づき、電波放送受信部２０３から入力された復調データの中から該当する映像データを抽出して表示部２０８に出力し、表示部２０８は、映像抽出部２０４から入力された映像データのデコード処理および表示を行う。
【００４４】
また、キーワード抽出部２０５は、操作情報取得部２０１から入力された操作情報に含まれる選局操作情報に基づき、電波放送受信部２０３から入力された復調データの中から該当する番組の番組情報データ（メタデータ）を抽出し、次の選局操作情報が入力されるまでの時間が５秒（所定時間Ｔ４）以内であれば、抽出した番組情報データを興味なしキーワードとしてキーワード蓄積部２０６に出力する。
【００４５】
ザッピング検出部２０２は、操作情報取得部２０１から入力された選局操作情報の入力頻度を測定し、ザッピング操作により１０秒（所定時間Ｔ１）以内に２回（閾値Ｘ）以上の選局操作情報の入力を検知した場合には、キーワード蓄積部２０６に対してザッピング検出通知を出力する。
【００４６】
キーワード蓄積部２０６は、ザッピング検出部２０２からザッピング検出通知が入力されると、視聴者が選局操作をする毎にキーワード抽出部２０５から入力される興味なしキーワードの蓄積保存を行う。
【００４７】
以上のような処理が行われている中で、ザッピング検出部２０２は、視聴者がザッピング操作により３０秒（所定時間Ｔ２）以内に全番組の選局操作を完了したことを検出すると、キーワード蓄積部２０６に対して全番組遷移通知を出力する。
【００４８】
キーワード蓄積部２０６は、ザッピング検出部２０２から全番組遷移通知を受け取ると、パケット通信部２０７を介して映像配信サーバ１０４と通信を行い、蓄積した興味なしキーワードに関連のない推薦番組の検索を行う。
【００４９】
キーワード蓄積部２０６は、ザッピング検出部２０２から全番組遷移通知が入力された後は、ザッピング検出部２０２からザッピング終了通知が入力されるまでの間、キーワード抽出部２０５から興味なしキーワードが入力される毎に、興味なしキーワードの蓄積、およびパケット通信部２０７を介して映像配信サーバ１０４と通信を行い、蓄積された興味なしキーワードに関連のない番組を推薦番組として検索を行う。
【００５０】
パケット通信部２０７は、ネットワークを介して映像配信サーバ１０４から取得した推薦番組のデータを、表示部２０８およびキーワード抽出部２０５に出力する。
【００５１】
表示部２０８は、パケット通信部２０７から推薦番組のデータが入力されると、視聴者により選択された電波放送番組の映像データが表示されている場合においても、推薦番組のデータをデコードして表示するように画面を切り替える。
【００５２】
次に、映像配信サーバ１０４からインターネットを介して取得した推薦番組を表示した後の、映像受信装置１０１における視聴者のザッピング操作に対応する処理の流れについて説明する。
【００５３】
視聴者が、表示部２０８に表示された推薦番組に対しても興味がないと判断し、リモートコントローラ１０２を用いて引き続き５秒（所定時間Ｔ４）以内にザッピング操作を行うと、リモートコントローラ１０２から送信された選局操作情報は、操作情報取得部２０１を介してキーワード抽出部２０５に送られる。
【００５４】
キーワード抽出部２０５は、新たな選局操作情報が入力されるまでの時間が５秒（所定時間Ｔ４）以内であるので、表示部２０８に表示された推薦番組の番組情報データ（メタデータ）を興味なしキーワードとしてキーワード蓄積部２０６に出力する。
【００５５】
キーワード蓄積部２０６は、キーワード抽出部２０５から新たに入力された興味なしキーワードを追加蓄積するとともに、パケット通信部２０７を介して映像配信サーバ１０４に接続し、蓄積された興味なしキーワードに関連のない番組を推薦番組として検索を行い、取得した推薦番組を表示部２０８に出力して表示する。
【００５６】
以上のように処理することにより、インターネットを介して取得した推薦番組に対しても興味がない場合には、その興味がないという視聴者の嗜好情報をさらにプラスした情報を基にして推薦番組を提供することができるので、視聴者のザッピング操作に伴って、視聴者の嗜好により一層近づけていくことが可能となる。
【００５７】
次に、映像配信サーバ１０４からインターネットを介して取得した推薦番組を視聴者に提供していく中で、視聴者が興味のある番組を見つけた場合の映像受信装置１０１における処理の流れについて説明する。
【００５８】
視聴者が、表示部２０８に表示された推薦番組に対して興味があると判断し、ザッピング操作を停止すると、操作情報取得部２０１からザッピング検出部２０２には選局操作情報が入力されなくなり、ザッピング検出部２０２は、選局操作情報が入力されない時間が所定時間Ｔ３である１０分を超えたと判断すると、キーワード蓄積部２０６に対してザッピング終了通知を出力する。
【００５９】
キーワード蓄積部２０６は、ザッピング検出部２０２からザッピング終了通知が入力されると、蓄積していた興味なしキーワード、すなわち、今までザッピング操作をしていた当該視聴者の嗜好情報を消去する。
【００６０】
ここで、当該視聴者の嗜好情報を消去する理由は、当該視聴者に対して興味ある番組を提供できたことから、当該視聴者の嗜好情報を保持する必要が低くなった事と、別の視聴者がリモートコントローラ１０２を引き継いで別の番組を検索する為にザッピングを開始した時に、前の視聴者の嗜好情報を用いることによる誤った推薦番組の提供を回避する事にある。
【００６１】
次に、図３を用いて、映像受信装置１０１における嗜好情報の抽出および推薦番組の表示に関する処理の流れについて説明する。なお、図３は、本発明の実施の形態１に係る映像受信装置における嗜好情報の抽出および推薦番組の表示に関する処理の流れを示すフローチャートである。
【００６２】
図３において、ザッピング検出部２０２は、操作情報取得部２０１を介して視聴者からの操作情報を取得すると（Ｓ３０１）、視聴者の選局操作がザッピング操作であるか否かを判断する（Ｓ３０２）。例えば、所定時間Ｔ１（１０秒）あたりに入力される選局操作の回数が閾値Ｘ（２回）を超えているか否かを判断する。
【００６３】
ステップＳ３０２において、視聴者の選局操作がザッピング操作でないと判断された場合（ステップＳ３０２においてＮＯの場合）には、表示部２０８は、選局操作情報に基づいて選択された映像抽出部２０４から入力される電波放送番組を表示して（Ｓ３１１）、処理を終了する（Ｓ３０８）。
【００６４】
一方、ステップＳ３０２において、視聴者の選局操作がザッピング操作であると判断された場合（ステップＳ３０２においてＹＥＳの場合）には、ザッピング検出部２０２は、さらに、選択された番組の視聴時間が所定時間Ｔ４（５秒）以下であるか否かを判断する（Ｓ３０３）。
【００６５】
ステップＳ３０３において、選択された番組の視聴時間が５秒以下であると判断された場合（ステップＳ３０３においてＹＥＳの場合）には、その度に選択された番組の番組情報を興味なしのキーワードとしてキーワード蓄積部２０６に蓄積し（Ｓ３０４）、さらに、所定時間Ｔ２（３０秒）以内に全番組の選局操作が行われたか否かを判断する（Ｓ３０５）。
【００６６】
ステップＳ３０５において、３０秒以内に全番組の選局操作が行われたと判断された場合（ステップＳ３０５においてＹＥＳの場合）には、キーワード蓄積部２０６は、パケット通信部２０７を介して映像配信サーバ１０４に対して、蓄積された興味なしキーワードを用いて推薦番組の検索を実施し（Ｓ３０６）、取得した推薦番組を表示部２０８の画面に表示し（Ｓ３０７）、処理を終了する（Ｓ３０８）。
【００６７】
続いて、ステップＳ３０３において、選択された番組の視聴時間が５秒以下でないと判断された場合（ステップＳ３０３においてＮＯの場合）には、選択された番組の視聴時間が所定時間Ｔ３（１０分）以下であるか否かを判断する（Ｓ３０９）。
【００６８】
ステップＳ３０９において、選択された番組の視聴時間が１０分以下であると判断された場合（ステップＳ３０９においてＹＥＳの場合）には、選局操作情報に基づいて、視聴者により選択された電波放送番組を表示部２０８に表示し（Ｓ３１１）、処理を終了する（Ｓ３０８）。
【００６９】
一方、ステップＳ３０９において、選択された番組の視聴時間が１０分以下でないと判断された場合（ステップＳ３０９においてＮＯの場合）には、視聴者が視聴したい番組に辿りついたと判断して、キーワード蓄積部２０６に蓄積された興味なしキーワードをリセット（破棄）し（Ｓ３１０）、操作情報に基づいて、視聴者により選択された番組を表示部２０８に表示して（Ｓ３１１）、処理を終了する（Ｓ３０８）。
【００７０】
続いて、ステップＳ３０５において、全番組の選局操作が行われていないと判断された場合（ステップＳ３０５においてＮＯの場合）には、選局操作情報に基づいて、視聴者により選択された番組を表示部２０８に表示して（Ｓ３１１）、処理を終了する（Ｓ３０８）。
【００７１】
次に、図４を用いて、以上のような処理動作を行う映像受信装置１０１の番組遷移について説明する。なお、図４は、本発明の実施の形態１に係る映像受信装置においてクイズ番組の視聴を所望している視聴者がザッピング操作をした際の番組遷移の一例を示す図である。
【００７２】
図４において、操作情報の欄には視聴者がリモートコントローラ１０２を用いて操作した情報が記載される。例えば、操作情報の欄に記載された１は、リモートコントローラ１０２の選局ボタン１を意味する。
【００７３】
選局情報の欄には選局情報が記載される。例えば、選局情報の欄に記載された電波１は、電波放送のチャンネル１を示し、またＮＷ１は、インターネットを介して検索、取得した１回目の推薦番組であることを示す。本発明の実施の形態１においては、電波放送には電波１〜電波６までの６つのチャンネルの番組が存在するものとする。
【００７４】
番組名の欄には番組名が記載され、括弧の中には該当する番組の番組情報から抽出したメタデータが記載される。また、視聴時間の欄には、視聴者が各番組を視聴した視聴時間が記載される。
【００７５】
キーワード蓄積部２０６に登録される興味なしキーワード欄には、ザッピング操作に伴い蓄積される興味なしキーワードの蓄積推移が記載される。
【００７６】
次に、視聴者が電波１から選局操作をスタートさせ、電波２、電波３、電波４とザッピング操作を行う中で、どのようにして視聴者の嗜好情報を抽出し、推薦番組を提供していくのかについて説明する。
【００７７】
まず、視聴者がリモートコントローラ１０２の選局ボタン１を選択すると、表示部２０８には、選局情報が電波１で番組名が英会話の電波放送番組が表示される。
【００７８】
しかし、視聴者が、英会話番組に興味がないと判断し、視聴時間３秒でリモートコントローラ１０２の選局ボタン２を選択すると、表示部２０８には、選局情報が電波２で番組名が朝のワイドショーの電波放送番組が表示される。
【００７９】
視聴者が、朝のワイドショーの番組に対しても興味がないと判断し、視聴時間３秒でリモートコントローラ１０２の選局ボタン３を選択すると、表示部２０８には、選局情報が電波３で番組名がアニメの電波放送番組が表示される。
【００８０】
この時点で、１０秒（所定時間Ｔ１）以内に閾値である２回の選局操作が実行されたことから、映像受信装置１０１はザッピングを検出し、嗜好情報の抽出を開始する。
【００８１】
視聴者が、電波３のアニメの放送番組に対しても興味がないと判断し、視聴時間が４秒でリモートコントローラ１０２の選局ボタン４を選択すると、表示部２０８には、選局情報が電波４で番組名がドキュメンタリーの電波放送番組が表示される。この時、番組名がアニメの放送番組の視聴時間が５秒（所定時間Ｔ４）以下であることから、映像受信装置１０１は、番組名がアニメの番組情報（メタデータ）であるアニメを、興味なしキーワードとしてキーワード蓄積部２０６に登録する。
【００８２】
続いて、視聴者が、番組名がドキュメンタリーの電波放送番組を１０秒視聴してからリモートコントローラ１０２の選局ボタン５を選択し、選局情報が電波５で番組名が野球の電波放送番組を選択する。この場合、番組名がドキュメンタリーの電波放送番組の視聴時間が５秒（所定時間Ｔ４）よりも長いことから、番組名がドキュメンタリーの番組情報（メタデータ）であるドキュメンタリーを、興味なしキーワードとしてキーワード蓄積部２０６に登録しない。
【００８３】
続いて、視聴者が、選局情報が電波５で番組名が野球の電波放送番組に対して興味がないと判断し、番組名が野球の電波放送番組を３秒視聴してからリモートコントローラ１０２の選曲ボタン６を選択すると、表示部２０８には、選局情報が電波６で番組名が落語の電波放送番組が表示される。この時、番組名が野球の電波放送番組の視聴時間が５秒（所定時間Ｔ４）以下である為、番組名が野球の番組情報（メタデータ）である野球、巨人、阪神がキーワード蓄積部２０６に追加登録される。
【００８４】
続いて、視聴者が、選局情報が電波６で番組名が落語の電波放送番組を４秒視聴してから再びリモートコントローラ１０２の選局ボタン１を選択すると、番組名が落語の放送番組の視聴時間が５秒（所定時間Ｔ４）以下である為、番組名が落語の番組情報（メタデータ）である落語がキーワード蓄積部２０６に追加登録される。
【００８５】
この時点で、３０秒（所定時間Ｔ２）以内に全番組の選局が行われていることから、映像受信装置１０１は、映像配信サーバ１０４に対して、キーワード蓄積部２０６に登録されている興味なしキーワードを用いて推薦番組の検索を行う。この時、映像受信装置１０１は、映像配信サーバ１０４に対して、キーワード蓄積部２０６に登録されている興味なしキーワードとは関連のない番組を推薦番組として検索する。
【００８６】
映像受信装置１０１は、映像配信サーバ１０４に対して検索した結果、選局情報がＮＷ１で番組名がドラマの番組が推薦番組として得られると、表示部２０８において、リモートコントローラ１０２の選局ボタン１に割り当てられた選局情報が電波１の電波放送番組に替えて、選局情報がＮＷ１で番組名がドラマの映像配信サーバ１０４からの番組を表示する。
【００８７】
続いて、視聴者が、選局情報がＮＷ１で番組名がドラマの映像配信サーバ１０４からの番組に対しても興味がないと判断し、視聴時間が３秒でリモートコントローラ１０２の選局ボタン２を選択すると、映像受信装置１０１は、番組名がドラマの映像配信サーバ１０４からの番組の視聴時間が５秒（所定時間Ｔ４）以下である為、番組名がドラマの番組情報（メタデータ）であるドラマ、木村卓也をキーワード蓄積部２０６に追加登録し、キーワード蓄積部２０６に登録されている興味なしキーワードとは関連のない２回目の推薦番組の検索を行う。
【００８８】
映像受信装置１０１は、２回目の映像配信サーバ１０４に対して検索した結果、選局情報がＮＷ２で番組名がクイズの番組が推薦番組として選択されると、表示部２０８において、リモートコントローラ１０２の選局ボタン２に割り当てられた選局情報が電波２の放送番組である朝のワイドショーに替えて、選局情報がＮＷ２で番組名がクイズの映像配信サーバ１０４からの番組を表示する。
【００８９】
ここで、視聴者が、推薦番組として表示部２０８に表示された選局情報がＮＷ２で番組名がクイズの映像配信サーバ１０４からの番組を３０分にわたり視聴するが、選択された推薦番組の視聴時間が１０分（所定時間Ｔ３）より長い為、視聴者が視聴したい番組に辿りついたと判断して、キーワード蓄積部２０６に登録されている興味なしキーワードをリセット（廃棄）して処理を終了する。
【００９０】
このように、映像受信装置１０１は、視聴者がザッピングという電波放送の番組を検索する選局操作を監視して、所定時間Ｔ２（３０秒）以内に全番組の選局が行われたことを確認すると、視聴者が視聴したい番組が電波放送の番組に存在しないと判断し、インターネットを介して映像配信サーバ１０４から取得した推薦番組に切り替える。
【００９１】
その際には、映像受信装置１０１は、電波放送の番組を検索する際の選局情報および視聴時間を監視して興味なしキーワードを抽出・登録し、その登録した興味なしキーワードを活用して映像配信サーバ１０４を検索して、視聴者が所望する推薦番組を選択するが、このように、ザッピングという「興味がない」という嗜好情報を活用した推薦番組の検索を行うことで、視聴者の嗜好に近い推薦番組を提供することが可能となる。
【００９２】
以上のようにして、同じ装置を複数の視聴者で利用する場合でも各視聴者の嗜好情報が混在しないばかりでなく、長期間の統計的な嗜好情報の取得も必要とせず、かつ視聴者のその時々に応じて変化する嗜好を反映させた嗜好情報に基づいて、視聴者が所望するであろうと思われる推薦番組を検索することが可能な、映像受信装置および映像受信装置における嗜好情報抽出方法を提供することが可能となる。
【００９３】
なお、本発明の実施の形態１においては、番組に対する視聴者の興味がないという嗜好情報を抽出する方法として、視聴者の各番組に対する視聴時間が所定時間Ｔ４以下であるか否かで判定したが、これに限るものではなく、例えば、視聴者が興味のある番組に対しては複数回にわたって選択・視聴することを想定し、各番組に対して所定時間当たりに選局した回数が所定回数以下であるか否かを興味なしキーワードの登録条件としても良いし、選択・視聴された各番組の視聴時間を測定し、測定した各番組の視聴時間の平均値（平均視聴時間）が所定時間Ｔ４以下であるか否かを興味なしキーワードの登録条件としても良い。
【００９４】
また、本発明の実施の形態１においては、推薦番組を取得する方法として、ネットワークを介して映像配信サーバ１０４から取得したが、これに限るものではなく、例えば、映像受信装置１０１に具備した映像情報を蓄積できる蓄積媒体から取得しても良い。
【００９５】
また、本発明の実施の形態１においては、視聴者のザッピング操作により選択された番組の表示時間が所定時間（所定時間Ｔ４）以下の場合に、選択された各番組の番組情報（メタ情報）を興味なしキーワードとしてキーワード蓄積部２０６に登録したが、逆に、視聴者のザッピング操作により選択された番組の表示時間が所定時間（所定時間Ｔ４）を上回る場合に、選択された各番組の番組情報（メタ情報）を興味ありキーワードとしてキーワード蓄積部２０６に登録してもよい。ただし、この場合は、「興味がある」という嗜好情報に関連した推薦番組の検索を行うことになる。
【００９６】
また、本発明の実施の形態１においては、視聴者が選択された推薦番組を所定時間Ｔ３を上回って視聴した場合に、映像受信装置１０１は、視聴者が視聴したい番組に辿りついたと判断して、キーワード蓄積部２０６に登録されている興味なしキーワードを削除（廃棄）したが、例えば、登録されている興味なしキーワードと当該視聴者のＩＤとを関連付けて保存し、その保存した興味なしキーワードを、当該視聴者が再度利用できるようにしても構わない。さらに、本発明の実施の形態１においては、視聴時間に対する重み付けの考え方を、お勧め番組選択時に、他のフィルタと同時に用いても構わない。例えば、本フィルタと放送番組の類似度に関するフィルタを用いて、視聴時間が短い場合は、ユーザーの本フィルタの重み付けを低くし（放送番組の類似度に関するフィルタを高くし）、視聴時間が長い場合は、本フィルタの重み付けを高く（放送番組の類似度に関するフィルタを低く）するようにしても構わない。
【００９７】
また、本発明の実施の形態１においては、操作情報取得部２０１は、映像受信装置１０１の外部に設けられたリモートコントローラ１０２から赤外線通信により送信された視聴者の操作情報を受信するとしたが、これに限るものではなく、リモートコントローラ１０２が赤外線通信以外の通信手段を利用するものであっても構わないし、また、映像受信装置１０１本体がリモートコントローラ１０２の機能を具備する構成であっても構わない。
【００９８】
また、本発明は、本発明の実施の形態１における装置が各手段を備える映像受信装置として提供することができるばかりでなく、映像受信装置が具備する各手段を各ステップとする映像受信装置における嗜好情報抽出方法をコンピュータに実行させる映像受信装置における嗜好情報抽出プログラムを提供することも可能である。
【産業上の利用可能性】
【００９９】
本発明に係る映像受信装置および映像受信装置における嗜好情報抽出方法は、視聴者のザッピング操作による興味がないという嗜好情報を抽出して、推薦番組の提供を行うことが可能であるので、映像受信装置だけでなく、例えば、インターネットラジオの選局推薦などのように、数多くあるコンテンツの中から、ザッピング操作を通じて視聴者の嗜好を反映したコンテンツを推薦する装置や、嗜好情報を抽出するためのプログラムに活用することができる。
【符号の説明】
【０１００】
１０１  映像受信装置
１０２  リモートコントローラ
１０３  電波放送局
１０４  映像配信サーバ
２０１  操作情報取得部
２０２  ザッピング検出部
２０３  電波放送受信部
２０４  映像抽出部
２０５  キーワード抽出部
２０６  キーワード蓄積部
２０７  パケット通信部
２０８  表示部
【図１】
2011211586.tif 000003
【図２】
2011211586.tif 000004
【図３】
2011211586.tif 000005
【図４】
2011211586.tif 000006